(57)【要約】【課題】  処理池、水路などの開口部に装着されるＲ付きの覆蓋であって、型を用いることなしに製造することが可能で、軽量性、耐食性、生産性に優れたＲ付き覆蓋を提案する。【解決手段】  所定の厚さを有するガラス繊維強化プラスチック製のハニカム構造体の開口している上下両端にそれぞれガラス繊維強化プラスチック製の表面板を積層してなるサンドイッチパネルの側縁を、ガラス繊維強化プラスチック製の側面補強材に一体化させてなるＲ付き覆蓋。【選択図】  図１
2006225039.tif 000002
【特許請求の範囲】
【請求項１】
所定の厚さを有するガラス繊維強化プラスチック製のハニカム構造体の開口している上下両端にそれぞれガラス繊維強化プラスチック製の表面板を積層してなるサンドイッチパネルの側縁を、ガラス繊維強化プラスチック製の側面補強材に一体化させてなるＲ付き覆
蓋。
【請求項２】
前記Ｒ付き覆蓋は方形状に形成され、その周囲を長手方向に凸型アーチ状に湾曲する枠体が取り付けられると共に、前記枠体の四隅にレール上を走行する車輪が取り付けられ、前記Ｒ付き覆蓋の長手方向の両端側に長手方向と直交する向きに配設された一対の前記レール上を走行することを特徴とする請求項１記載のＲ付き覆蓋。
【請求項３】
前記車輪はその回転軸を傾斜した状態で回動可能に取り付けられ、断面が円形状の前記レールの頂部付近から内側に向いた表面上に当接して走行することを特徴とする請求項２記載のＲ付き覆蓋。
【請求項４】
前記Ｒ付き覆蓋を少なくとも２以上備え、一の前記Ｒ付き覆蓋がその内側に、他の前記Ｒ付き覆蓋を重ねて収納可能としたことを特徴とする請求項２又は３に記載のＲ付き覆蓋。
【発明の詳細な説明】
【技術分野】
【０００１】
この発明は、上下水道用施設・処理場における処理池、水路などの開口部を防塵、防臭、墜落防止などのために覆う覆蓋に関し、特に、長手方向の長さが、３〜１０ｍ程度ある長スパンの開口部に装着されるのに適したＲ付き覆蓋に関する。
【背景技術】
【０００２】
従来から、上水処理場における処理池（例えば、凝集池、フロック形成池、沈殿池、砂濾過池、珪藻土濾過池）、下水処理場における処理池（例えば、沈殿池、曝気槽）、水路、あるいは大量の水を使用する工場施設や農業施設における水収容部・水流動部の上側などの開口部には、防塵、防臭、墜落防止などの目的で覆蓋が装着されることがある。
【０００３】
この覆蓋に関しては、軽量性、耐食性、生産性などを考慮して種々のものが提案されている。
【０００４】
例えば、特開平９−７８６８３号公報には、メラミン板とフェノール積層板との間隙に、硬質ポリウレタンフォーム材を注入発泡して得られたサンドイッチパネルからなり、前述したような開口部を覆うような自由サイズに切り出され、切り口等の発泡体面を合成樹脂で塗布した覆蓋が提案されている。
【特許文献１】特開平９−７８６８３号公報
【発明の開示】
【発明が解決しようとする課題】
【０００５】
前述した特開平９−７８６８３号公報記載の覆蓋は平坦（フラット）なものであるが、処理池、水路などの前述した開口部が３〜１０ｍ程度の長スパンになると、Ｒ付きの覆蓋が採用されることがある。この覆蓋に付けられるＲは、スパンが大きくなればなるほど大きく、きつくなる。
【０００６】
従来、このようなＲ付き覆蓋を製造する場合には、予め型を準備し、この型を利用して製造するのが一般的であった。
【０００７】
このため、スパンの長さが異なり、Ｒが変化する毎に異なる型を準備する必要がある等、製造が容易でなく、また製造コストの面でも改善すべき点があった。
【０００８】
更に、従来のＲ付き覆蓋を、処理池、水路などの前述した開口部に装着する際には、スパンに応じてリブ補強をする必要があり、スパンが大きくなればなるほど補強が肥大化するので、この面でも改善すべき点があった。
【０００９】
本発明は、処理池、水路などの前述した開口部に装着されるＲ付き覆蓋であって、型を用いることなしに製造することが可能で、軽量性、耐食性、生産性に優れたＲ付き覆蓋を提案することを目的としている。
【課題を解決するための手段】
【００１０】
前記課題を解決するため、この発明が提案するＲ付き覆蓋は、所定の厚さを有するガラス繊維強化プラスチック製のハニカム構造体の開口している上下両端にそれぞれガラス繊維強化プラスチック製の表面板を積層してなるサンドイッチパネルの側縁を、ガラス繊維強化プラスチック製の側面補強材に一体化させてなることを特徴とするものである。
【００１１】
サンドイッチパネルの中間層を形成するハニカム構造体、サンドイッチパネルの上下層を形成する表面板、サンドイッチパネルの側縁に一体化される側面補強材は、強度、軽量性、耐食性、耐候性、Ｒ付き覆蓋を形成するための可撓性などを考慮して、いずれもガラス繊維強化プラスチック（本明細書において、単に「ＦＲＰ」と表示することがある）製になっている。
【００１２】
サンドイッチパネルの中間層を形成するハニカム構造体の所定の厚さは、Ｒ付き覆蓋に要求される厚さ、上下に積層されるＦＲＰ製の表面板の厚さ、Ｒ付き覆蓋に許容される重量等々に応じて適宜定められるが、２０ｍｍ程度〜７０ｍｍ程度である。
【００１３】
ハニカム構造体に設けられている開口の断面形状は、四角、六角、丸、等々、従来からハニカム構造体において採用されている種々の形状を採用することができる。
【００１４】
また、サンドイッチパネルの上下層を形成する表面板の外側表面には、耐候性を高めるためコーティングを施すこともできる。
【００１５】
サンドイッチパネルの側縁への側面補強材の一体化は、例えば、ＦＲＰ製の側面補強材に対して、サンドイッチパネルの側縁をハンドレイアップ法によって取り付けて行うことができる。
【００１６】
前述した本発明のＲ付き覆蓋の厚さ、側面補強材を除いた覆蓋の重さは、要求される強度、スパンの長さなどにもよるが、それぞれ、３０ｍｍ〜８０ｍｍ、５〜２０ｋｇ/ｍ２にすることができる。
【００１７】
いずれにせよ、各構成部材がＦＲＰからなり、サンドイッチパネルの中間層がハニカム構造体で形成されている本発明のＲ付き覆蓋は、みかけ密度が水より小さいので、水に浮くことができる。
【００１８】
本発明のＲ付き覆蓋は、１．０ＫＮ/ｍ２の設計荷重において、ｌ/２００以下の許容たわみ量で、中央線荷重１．０ＫＮ/ｍにおいて十分な破壊安全性を有するものになる。
【００１９】
また、本発明のＲ付き覆蓋は、処理池のような開口部に装着されると、直径Ｒ≒１７ｍの一定の穏やかな弧に形成され、スパンが小さくなればなるほど平面に近くなり、外観的にも目立たなくなる。
【００２０】
また、前記Ｒ付き覆蓋は方形状に形成され、その周囲を長手方向に凸型アーチ状に湾曲する枠体が取り付けられると共に、前記枠体の四隅にレール上を走行する車輪が取り付けられ、前記Ｒ付き覆蓋の長手方向の両端側に長手方向と直交する向きに配設された一対の前記レール上を走行することを特徴とするＲ付き覆蓋を提供する。
【００２１】
処理池の開口部周縁に装着される前記Ｒ付き覆蓋に車輪を取り付け、レール上を走行可能とすれば、開口部が開閉可能となり開口部内の点検及び保守が容易となる。例えば開口部の両端に配設されたレールを開口部よりさらに延在すれば、この延在した部分にＲ付き覆蓋を移動させて開口部を開放することができる。
【００２２】
なおＲ付き覆蓋の周囲に枠体を取り付けたが、所定の厚さを有するガラス繊維強化プラスチック製のハニカム構造体の開口している上下両端にそれぞれガラス繊維強化プラスチック製の表面板を積層してなるサンドイッチパネルを方形状に形成し、その周囲に長手方向に凸型アーチ状に湾曲する枠体を取り付けてもよい。この場合、枠体が側面補強材の代わりとなる。
【００２３】
前記車輪はその回転軸を傾斜した状態で回動可能に取り付けられ、断面が円形状の前記レールの頂部付近から内側に向いた表面上に当接して走行することが好ましい。
【００２４】
Ｒ付き覆蓋は通常風雨に曝される環境下に設置されるが、傾斜した車輪がレールの頂部から内側にかけて当接することで、Ｒ付き覆蓋の荷重がレール上を下向き斜め外側に向けてかかるので強風下での使用においても脱輪しにくい安定した走行が可能となる。
【００２５】
また前記Ｒ付き覆蓋を少なくとも２以上備え、一の前記Ｒ付き覆蓋がその内側に、他の前記Ｒ付き覆蓋を重ねて収納可能とすることが好ましい。
【００２６】
例えば処理池の開口部両端である、対向する周壁の上部平面上にレールを内側に一対、その外側に一対配設し、この内側の一対のレールを走行する内側のＲ付き覆蓋と、外側の一対のレールを走行する外側のＲ付き覆蓋とを備え、この内側のＲ付き覆蓋を外側の覆蓋が覆うように重なり合えば、処理池の開口部を容易に開放でき、点検及び保守も容易となる。Ｒ付き覆蓋を重ねることで開口部を開放できるので、この場合レールを開口部よりも延在する必要はない。
【発明の効果】
【００２７】
この発明によれば、上水処理場における処理池（例えば、凝集池、フロック形成池、沈殿池、砂濾過池、珪藻土濾過池）、下水処理場における処理池（例えば、沈殿池、曝気槽）、水路、あるいは大量の水を使用する工場施設や農業施設における水収容部・水流動部の上側などの開口部に装着されるＲ付きの覆蓋であって、型を用いることなしに製造することが可能で、軽量性、耐食性、生産性に優れたＲ付き覆蓋を提供することができる。
【００２８】
特に、型を使用することなしに製造できるので、小さいロットでも、低コストで製造し、短期間で納品することが可能になる。
【００２９】
製造コストの面では、従来の型を用いて製造していた場合に比較して２０〜５０％のコスト削減が可能である。
【発明を実施するための最良の形態】
【００３０】
以下、添付図面を参照して本発明の好ましい実施形態を説明する。
【００３１】
この発明のＲ付き覆蓋１は、所定の厚さを有するＦＲＰ製のハニカム構造体２の開口している上下両端に、図２（ｃ）図示のように、それぞれＦＲＰ製の表面板３ａ、３ｂを積層してなるサンドイッチパネルの側縁を、図１図示のように、ＦＲＰ製の側面補強材４ａ、４ｂに一体化させてなるものである。
【００３２】
ハニカム構造体２に設けられている開口の断面形状は、図２（ｂ）、（ｃ）図示のような六角形状の他、四角、丸、等々、従来からハニカム構造体において採用されている種々の形状にすることができる。
【００３３】
サンドイッチパネルの上下層を形成する表面板３ａ、３ｂの外側表面には、耐候性を高めるため図２（ａ）図示のように、コーティング８ａ、８ｂを施すことができる。
【００３４】
サンドイッチパネルの中間層を形成するハニカム構造体２の厚さ（図２（ａ）中、上下方向の大きさ）は、Ｒ付き覆蓋１に要求される厚さ、上下に積層されるＦＲＰ製の表面板３ａ、３ｂの厚さ、Ｒ付き覆蓋に許容される重量等々に応じて適宜定められる。図２（ａ）図示の例では、ハニカム構造体２の厚さ：２５ｍｍ、表面板３ａ、３ｂの厚さ（図２（ａ）中、上下方向の大きさ）をそれぞれ５ｍｍとした。また、Ｒ付き覆蓋１の長手方向の長さを、処理池の開口部１０（図１）の幅に対応させて、５，０００ｍｍとし、Ｒ付き覆蓋１の横手方向の長さ（側面補強材４ａ、４ｂが一体化されるサンドイッチパネルの側縁と側縁との間の間隔）を９００ｍｍとした。更に、図２（ａ）図示の例では、表面板３ａ、３ｂの表面に厚さ１ｍｍのコーティング８ａ、８ｂを施した。
【００３５】
こうして形成したサンドイッチパネルの両側縁を、それぞれ、図４（ａ）図示のように断面逆Ｌ字状で、図１図示のように処理池の開口部１０に架け渡されるべく長手方向で緩やかなＲがついている弧状の側面補強材４ａ（ＦＲＰ製）の内側角部に当接させ、図４（ａ）乃至（ｃ）図示のように、ハンドレイアップ法により取り付けて一体化して本発明のＲ付き覆蓋１とした。
【００３６】
なお、このＲ付き覆蓋１の長手方向の両端には、処理池の開口部１０への装着用に、ボルト通し孔（不図示）を複数個設けた。
【００３７】
このＲ付き覆蓋１を処理池の開口部１０（図１）（スパン：４．７ｍ）に装着する場合には、吊り上げ具によってＲ付き覆蓋１を吊り上げて、開口部１０の両端に架け渡し、図３図示のように、Ｒ付き覆蓋１の長手方向の両端を、パッキン６ａ、６ｂを介して押さえ金具５で押さえつけ、ボルト７等の固定具を用いて、Ｒ付き覆蓋１の長手方向の両端を処理池の開口部１０の両端に固定する。
【００３８】
図１図示の例では、Ｒが緩やかな弧状のＲ付き覆蓋１となる。
【００３９】
処理池の開口部１０（図１）のスパンの大きさが変更される毎に、この開口部１０に装着されるＲ付き覆蓋１のＲの大きさも変化するが、本発明のＲ付き覆蓋１の場合、処理池の開口部１０（図１）のスパンの大きさを考慮して所定の長手方向の長さを有するＲ付き覆蓋１を作製して、前記のように処理池の開口部１０に装着すれば、所望の大きさのＲを有するＲ付き覆蓋１になり、所望の荷重強度、耐力を有するものになる。また、スパンが大きくなっても、スパン長に応じてリブ補強を行う必要がない。
【００４０】
すなわち、Ｒ付き覆蓋を装着する処理池の開口部１０（図１）のスパンの大きさに変動があっても、そのたび毎に、型を準備してＲ付き覆蓋を製作する必要がなく、処理池の開口部１０（図１）のスパンの大きさを考慮して所定の長手方向の長さを有するＲ付き覆蓋１を作製しさえすればよいので、安価に、かつ、簡単に、所望の荷重強度、耐力を有するＲ付き覆蓋を製造することができる。
【００４１】
なお、本発明のＲ付き覆蓋１は、処理池の開口部１０（図１）のスパンが小さくなればなるほど、開口部１０に装着された状態が平面に近くなり、外観的にも目立たなくなる。
【００４２】
以上、本発明の好ましい実施形態を添付図面を参照して説明したが、本発明はかかる実施形態に限定されるものではなく、特許請求の範囲の記載から把握される技術的範囲において種々の形態に変更可能である。
【００４３】
次に本発明のＲ付き覆蓋に車輪を取り付け、レール上を走行可能とした他の実施形態について図面を参照して説明する。
【００４４】
図５図示のように可動式としたＲ付き覆蓋１５ａ、１５ｂは処理池等の開口部の周壁１１の上部に設けたレール１２上を走行するものである。可動式としたＲ付き覆蓋１５ａ、１５ｂとも図１図示のＲ付き覆蓋１の周囲にその長手方向に凸型アーチ状に湾曲する枠体１６ａ、１６ｂがそれぞれ設けられている。そして枠体１６ａの四隅に車輪１８ａが、枠体１６ｂの四隅に車輪１８ｂがそれぞれ取り付けられている。Ｒ付き覆蓋１５ａと１５ｂとは、Ｒ付き覆蓋１５ａがＲ付き覆蓋１５ｂの外側を覆うように重なり合って走行可能としたもので、それぞれ大きさも、これらが走行するレールも異にする。
【００４５】
走行用に配設されたレール１２は、開口部１０の周壁１１のうち設置されるＲ付き覆蓋１５ａ、１５ｂの長手方向の両端部にある周壁上部面にそれぞれ内側に一対のレール１２ｂがＲ付き覆蓋１５ｂに、その外側に一対のレール１２ａがＲ付き覆蓋１５ａにそれぞれ使用される。このレール配置関係により、開口部１０を覆うＲ付き覆蓋１５ｂの外側をＲ付き覆蓋１５ａが重なり合うことになる。
【００４６】
図６（ａ）（ｂ）図示のようにこの可動式にしたＲ付き覆蓋１５ａ、１５ｂで処理池等の開口部１０を前面覆う状態にしているとき、Ｒ付き覆蓋１５ｂをＲ付き覆蓋１５ａの内側に移動走行させるか、あるいはＲ付き覆蓋１５ａを移動走行させてＲ付き覆蓋１５ｂの上に重ねることで、開口部１０の略半分が開放され、内部の点検、保守が容易となる。
【００４７】
なお一対のレールのみ敷設し、Ｒ付き覆蓋も同型のもの一種にするときは、開口部１０の開閉用のためにレールを延在してＲ付き覆蓋を延在したレール上に移動させて開口部１０を開放する。しかし図６（ａ）（ｂ）はＲ付き覆蓋を重なり可能としたため、レールを開口部１０の長さより延在する必要がなく、例えば所定幅の周壁に覆われレール延在スペースのない処理池では設置が容易となる。
【００４８】
次に車輪とレールの配置関係を、図７及びその一部を拡大した図８を用いて説明する。図７及び図８図示のように、Ｒ付き覆蓋１５ａ、１５ｂの周囲に設けられた枠体１６ａ、１６ｂの下部四隅に車輪１８ａ、１８ｂがそれぞれ取り付けられている。取り付けられた車輪の状態を詳述すると、枠体１６ａ、１６ｂ下部の横手方向、すなわち短手方向にその外側を下に位置した状態に傾斜した板部材２０ａ、２０ｂが取り付けられており、この板部材２０ａ、２０ｂに回転軸を垂直にした車輪１８ａ、１８ｂが回動可能に設置されている。そのため、車輪１８ａ、１８ｂは、その回転軸の上部が外側に向けて傾斜した状態になって回動する。
【００４９】
開口部１０の向かい合う周壁１１の上部平面上にそれぞれ２本ずつ配設された断面円形状のレール１２は、開口部１０の内側に位置する一対のレール１２ｂと、その外側にそれ位置する一対のレール１２ａとして取り付け金具により設置されている。レール１２は断面が円形状であればよく、パイプ状のものが使用される。
【００５０】
図８図示のように、内外に設置された一対のレール１２ａ、１２ｂの断面円形状の頂点から開口部１０側である内側に向けての円弧上に、対応する弧状に形成された車輪１８ａ、１８ｂが当接して回転移動するものである。そのため、可動するＲ付き覆蓋１５ａ、１５ｂの荷重は、長手方向の両端にそれぞれ分散し、車輪１８ａ、１８ｂを介して外側斜め下向きにレール１２ａ、１２ｂに働くことになる。この力の方向によりＲ付き覆蓋１５ａ、１５ｂは、脱輪し難い安定した走行が可能となるのである。
【００５１】
このようにＦＲＰ製のハニカム構造体によるＲ付き覆蓋１に枠体を取り付け、この枠体に車輪を設けて走行可能としたので、軽量性、耐食性、生産性に優れ、また長手方向にＲを設けてなるので、覆蓋に点検等で人が乗るなどの荷重がかかっても曲がりにくく強度的にも優れたものである。
【００５２】
なお、Ｒ付き覆蓋はＦＲＰ製であるが、その枠体、車輪、レールは、ステンレス等の金属製のものが使用されるが、これに限定するものでなく、耐久性、強度性が確保されれば金属以外の例えば、硬質の合成樹脂等でもよい。
【図面の簡単な説明】
【００５３】
【図１】本発明のＲ付き覆蓋が処理池の開口部に装着された状態を説明する斜視図。
【図２】（ａ）本発明のＲ付き覆蓋におけるサンドイッチパネル構造を説明する一部を省略した断面図、（ｂ）本発明のＲ付き覆蓋のサンドイッチパネル構造におけるハニカム構造を説明する平面図、（ｃ）同じく斜視図。
【図３】本発明のＲ付き覆蓋を処理池の開口部に装着する状態を説明する一部を省略した側面図。
【図４】（ａ）、（ｂ）、（ｃ）は、サンドイッチパネルの側縁をＦＲＰ製の側面補強材にハンドレイアップ法により取り付けて一体化する工程を説明する一部を省略した斜視図。
【図５】本発明のＲ付き覆蓋を走行可能として設置した状態の斜視図。
【図６】（ａ）走行可能としたＲ付き覆蓋の設置の平面図、（ｂ）平面図（ａ）のＡ−Ａ断面図。
【図７】図６（ａ）のＢ−Ｂ断面図。
【図８】図７のＣ部拡大図。
【符号の説明】
【００５４】
１  Ｒ付き覆蓋
２  ハニカム構造体
３ａ、３ｂ  表面板
４ａ、４ｂ  側面補強材
５  押さえ金具
６ａ、６ｂ  パッキン
７  ボルト等の固定具
８ａ、８ｂ  コーティング
１０  処理池の開口部
１１  処理池の開口部側壁
１２、１２ａ、１２ｂ  レール
１５ａ、１５ｂ  Ｒ付き覆蓋（可動）
１６ａ、１６ｂ  枠体
１８ａ、１８ｂ  車輪
【図１】
2006225039.tif 000003
【図２】
2006225039.tif 000004
【図３】
2006225039.tif 000005
【図４】
2006225039.tif 000006
【図５】
2006225039.tif 000007
【図６】
2006225039.tif 000008
【図７】
2006225039.tif 000009
【図８】
2006225039.tif 000010